(57)【要約】【課題】光源の位置を拘束することなく、ライセンスプレートにおける照度の均一化を図る。【解決手段】表示面を車両後方に向けて立設されたライセンスプレートＰの上方に配置されたライセンスプレート照明装置１は、ＬＥＤ２と、ＬＥＤ２からの光を内部に入射させる入光部３１、及び、当該入光部３１からの光をライセンスプレートＰの表示面に向けて出射させる出光部３３を有する導光レンズ３とを備える。導光レンズ３の出光部３３は、ＬＥＤ２よりも車両後側に位置するとともに、ライセンスプレートＰのうち上下方向に互いに異なる上側領域ＰUと下側領域ＰLを照らす前側出射面３３１と後側出射面３３２を有する。前側出射面３３１及び後側出射面３３２は、ライセンスプレートＰのうち相対的に下側の領域を照らす後側出射面３３２の方が多くの光量の光を出射させるように形成されている。【選択図】図５
2016002830.tif 000002
【特許請求の範囲】
【請求項１】
表示面を車両後方に向けて立設されたライセンスプレートの上方に配置され、当該ライセンスプレートの表示面を照明するライセンスプレート照明装置であって、
光源と、
前記光源からの光を内部に入射させる入光部、及び、当該入光部からの光を前記ライセンスプレートの表示面に向けて出射させる出光部を有する導光レンズと、
を備え、
前記導光レンズの前記出光部は、前記光源よりも車両後側に位置するとともに、前記ライセンスプレートのうち上下方向に互いに異なる領域を照らす複数の出射面を有し、
前記複数の出射面は、前記ライセンスプレートのうち相対的に下側の領域を照らすものの方が多くの光量の光を出射させるように形成されていることを特徴とするライセンスプレート照明装置。
【請求項２】
前記導光レンズの前記出光部は、
前記ライセンスプレートのうち上下方向の略中央よりも上側領域を照らす車両前側の前側出射面と、前記ライセンスプレートのうち上下方向の略中央よりも下側領域を照らす車両後側の後側出射面との２つの出射面に分割され、
前記後側出射面の方が前記前側出射面よりも多くの光量の光を出射させることを特徴とする請求項１に記載のライセンスプレート照明装置。
【請求項３】
前記光源は、下方向きに設けられ、
前記導光レンズは、
前記入光部から当該導光レンズ内に入射した光を前記出光部まで導光させる導光部を有し、
前記入光部が、前記光源の直下に位置するとともに、当該光源からの光を下方向きの平行光としつつ当該導光レンズ内に入射させ、
前記導光部が、前記入光部の下方に位置するとともに当該入光部からの光を車両後方へ内部反射させる第一反射面と、当該第一反射面の車両後方に位置するとともに当該第一反射面からの光を下方へ内部反射させる第二反射面とを有し、
前記出光部が、前記導光部の前記第二反射面の下方に位置する当該導光レンズの下端面に設けられていることを特徴とする請求項１又は２に記載のライセンスプレート照明装置。
【請求項４】
前記ライセンスプレートは、表示面が車両後方斜め上方を向くように傾斜した状態に設けられ、
前記光源は、前記ライセンスプレートの車両前後方向の中央よりも車両前側に配置されていることを特徴とする請求項１〜３の何れか一項に記載のライセンスプレート照明装置。
【発明の詳細な説明】
【技術分野】
【０００１】
本発明は、車両後面のライセンスプレートを照明するライセンスプレート照明装置に関する。
【背景技術】
【０００２】
従来のライセンスプレート照明装置においては、ライセンスプレートの上方に配置した光源によってライセンスプレートの表示面を上方から照らす方式が広く採用されている。
しかし、単純に上方から照らしただけでは、ライセンスプレートにおいて光源に近い領域（上部）と遠い領域（下部）との間で照度差が生じてしまう。
【０００３】
そこで、例えば特許文献１に記載の技術では、光源であるＬＥＤ（発光ダイオード）を、その光軸がライセンスプレートの中央よりも下側の領域に交差するように、傾斜したライセンスプレートの車両前後方向の中央よりも車両後側に配置することで、光源からの光のうち比較的に強い光をライセンスプレートの中央ないし下部の照明に利用している。これにより、光源に近いライセンスプレート上部への照射光量を抑えつつ、光源から遠いライセンスプレート下部を積極的に照明して、ライセンスプレートにおける照度の均一化を図っている。
【先行技術文献】
【特許文献】
【０００４】
【特許文献１】特開２００５−１１２３３７号公報
【発明の概要】
【発明が解決しようとする課題】
【０００５】
しかしながら、光源の位置は車体の構造やデザインなどによって制約を受けるため、光源をライセンスプレートの中央よりも車両後側に配置することが難しい場合がある。
本発明は、上記課題を解決するためになされたもので、光源の位置を拘束することなく、ライセンスプレートにおける照度の均一化を図ることができるライセンスプレート照明装置の提供を目的とする。
【課題を解決するための手段】
【０００６】
上記目的を達成するために、請求項１に記載の発明は、
表示面を車両後方に向けて立設されたライセンスプレートの上方に配置され、当該ライセンスプレートの表示面を照明するライセンスプレート照明装置であって、
光源と、
前記光源からの光を内部に入射させる入光部、及び、当該入光部からの光を前記ライセンスプレートの表示面に向けて出射させる出光部を有する導光レンズと、
を備え、
前記導光レンズの前記出光部は、前記光源よりも車両後側に位置するとともに、前記ライセンスプレートのうち上下方向に互いに異なる領域を照らす複数の出射面を有し、
前記複数の出射面は、前記ライセンスプレートのうち相対的に下側の領域を照らすものの方が多くの光量の光を出射させるように形成されていることを特徴とする。
【０００７】
請求項２に記載の発明は、請求項１に記載のライセンスプレート照明装置において、
前記導光レンズの前記出光部は、
前記ライセンスプレートのうち上下方向の略中央よりも上側領域を照らす車両前側の前側出射面と、前記ライセンスプレートのうち上下方向の略中央よりも下側領域を照らす車両後側の後側出射面との２つの出射面に分割され、
前記後側出射面の方が前記前側出射面よりも多くの光量の光を出射させることを特徴とする。
【０００８】
請求項３に記載の発明は、請求項１又は２に記載のライセンスプレート照明装置において、
前記光源は、下方向きに設けられ、
前記導光レンズは、
前記入光部から当該導光レンズ内に入射した光を前記出光部まで導光させる導光部を有し、
前記入光部が、前記光源の直下に位置するとともに、当該光源からの光を下方向きの平行光としつつ当該導光レンズ内に入射させ、
前記導光部が、前記入光部の下方に位置するとともに当該入光部からの光を車両後方へ内部反射させる第一反射面と、当該第一反射面の車両後方に位置するとともに当該第一反射面からの光を下方へ内部反射させる第二反射面とを有し、
前記出光部が、前記導光部の前記第二反射面の下方に位置する当該導光レンズの下端面に設けられていることを特徴とする。
【０００９】
請求項４に記載の発明は、請求項１〜３の何れか一項に記載のライセンスプレート照明装置において、
前記ライセンスプレートは、表示面が車両後方斜め上方を向くように傾斜した状態に設けられ、
前記光源は、前記ライセンスプレートの車両前後方向の中央よりも車両前側に配置されていることを特徴とする。
【発明の効果】
【００１０】
本発明によれば、光源から出射した光が入光部から導光レンズ内に入射し、光源よりも車両後側に位置する当該導光レンズの出光部からライセンスプレートに向けて出射される。このとき、導光レンズの出光部では、複数の出射面がライセンスプレートのうち上下方向に互いに異なる領域を照らすとともに、ライセンスプレートのうち相対的に下側の領域を照らす出射面の方が多くの光量の光を出射させる。
これにより、従来と異なり、光源の位置をライセンスプレートの中央よりも車両後側に配置する必要なく、当該ライセンスプレート照明装置から相対的に遠いライセンスプレートの下側領域を上側領域よりも多くの光量の光で照らすことができる。したがって、光源の位置を拘束することなく、ライセンスプレートにおける照度の均一化を図ることができる。
【図面の簡単な説明】
【００１１】
【図１】実施形態におけるライセンスプレート照明装置が搭載された車両の要部の縦断面図である。
【図２】実施形態におけるライセンスプレート照明装置が備える導光レンズの斜視図である。
【図３】実施形態におけるライセンスプレート照明装置が備える導光レンズの平面図である。
【図４】図３のIV−IV線での断面図である。
【図５】実施形態におけるライセンスプレート照明装置の照明態様を説明するための図である。
【発明を実施するための形態】
【００１２】
以下、本発明の実施形態について、図面を参照して説明する。
図１は、本実施形態におけるライセンスプレート照明装置１が搭載された車両の要部の縦断面図である。
なお、以下の説明において、「前」「後」「左」「右」「上」「下」との記載は、特に断りのない限り、ライセンスプレート照明装置１が搭載された図示しない車両から見た方向を意味するものとする。
【００１３】
図１に示すように、ライセンスプレート照明装置１は、図示しない車両の後面のライセンスプレートＰの上方に配置されて、当該ライセンスプレートＰの表示面（自動車登録番号等が表示された面）を照明する番号灯である。その照明対象であるライセンスプレートＰは、表示面を後方に向けて立設された状態で車両のボディＢに取り付けられており、本実施形態では、表示面が後方やや斜め上方を向くように後下がりにやや傾斜した状態に設けられている。また、ライセンスプレート照明装置１の下側部分はボディＢから露出しているが、車両のガーニッシュＧに後方を覆われて目隠しされている。
【００１４】
具体的に、ライセンスプレート照明装置１は、光源であるＬＥＤ（発光ダイオード）２と、ＬＥＤ２からの光を制御する導光レンズ３とを備えている。これらＬＥＤ２及び導光レンズ３は、互いに組をなしており、図示は省略するが、複数組がライセンスプレートＰの幅に亘って所定の間隔で左右方向（車幅方向）に沿って配列されている。
【００１５】
ＬＥＤ２は、白色光を発するものであり、その光軸Ａｘを上下方向に略沿って下方に向けた状態で基板２１上に実装されている。このＬＥＤ２は、ライセンスプレートＰの上方に配置されており、本実施形態では、ライセンスプレートＰの前後方向の中央であるプレートセンターＰCよりもやや前側に配置されている。
【００１６】
図２及び図３は、導光レンズ３の斜視図及び平面図であり、図４は、図３のIV−IV線での断面図である。
これらの図に示すように、導光レンズ３は、ＬＥＤ２の直下から後方斜め下方へ延在するやや長尺な形状に形成されている。具体的に、この導光レンズ３は、ＬＥＤ２から出射した光を当該導光レンズ３内に入射させる入光部３１と、入光部３１から入射した光を導光させる導光部３２と、ライセンスプレートＰに向けて光を出射させる出光部３３とを有している。
【００１７】
入光部３１は、ＬＥＤ２の直下に位置する導光レンズ３の上端部に設けられており、ＬＥＤ２の光軸Ａｘを回転対称軸として上方へ突出する裁頭円錐状に形成されている。この入光部３１の上端には、上方へ開口する開口部３１ａが設けられている。
開口部３１ａの底部には、上方へ膨出する凸面状（非球面）の第一入射面３１１が、光軸Ａｘを回転対称軸としてＬＥＤ２と対向する位置に設けられている。この第一入射面３１１は、その焦点付近にＬＥＤ２が位置するように設けられており、ＬＥＤ２から下方へ出射した光のうち当該第一入射面３１１に入射したものを、光軸Ａｘに略沿った平行光としつつ導光レンズ３内に入射させる。
開口部３１ａの内周面は、第二入射面３１２となっている。この第二入射面３１２は、第一入射面３１１の周縁部から上方へ立設された略円筒面であり、ＬＥＤ２から出射した光のうち第一入射面３１１よりも側方へ向かうものを導光レンズ３内に入射させる。
入光部３１の外周面は、入光部反射面３１３となっている。この入光部反射面３１３は、第二入射面３１２の先端（上端）から下方に向かって外側（光軸Ａｘから遠い側）へ広がるように傾斜した裁頭円錐面であり、第二入射面３１２から導光レンズ３内に入射した光を、光軸Ａｘに略沿うように内部反射（全反射）させる。
このような構成により、入光部３１は、ＬＥＤ２から出射した光を、光軸Ａｘに略沿った下方向きの平行光としつつ導光レンズ３内へ入射させる。
【００１８】
導光部３２は、入光部３１の下端から後方斜め下方へ延在するやや長尺な傾斜棒状に形成されており、上下方向と直交する各断面が、入光部３１の下端縁（円形）を内接円として前後左右に沿った各辺からなる一様な矩形状に形成されている。
導光部３２の前面は、入光部３１からの光を反射させる第一反射面３２１となっている。この第一反射面３２１は、前後方向と直交する面に対し４５度の角度で傾斜して、下方に向かうに連れて後方に位置するように形成されており、入光部３１の下方に位置している。このような構成により、第一反射面３２１は、入光部３１から光軸Ａｘに略沿って下方へ導光してきた光を後方へ内部反射（全反射）させる。
導光部３２の後面は、第一反射面３２１からの光を反射させる第二反射面３２２となっている。この第二反射面３２２は、第一反射面３２１と平行に形成されるとともに当該第一反射面３２１の後方に位置している。このような構成により、第二反射面３２２は、第一反射面３２１で後方へ内部反射された光を下方へ内部反射（全反射）させる。
【００１９】
出光部３３は、後方へ斜めに傾斜した形状である導光レンズ３の下端面に設けられており、ＬＥＤ２よりも後側に位置している。この出光部３３は、第二反射面３２２の下方に位置しており、第二反射面３２２で下方へ内部反射された光をライセンスプレートＰに向けて下方へ出射させる。
より詳しくは、出光部３３は、ライセンスプレートＰのうち上下方向に互いに異なる領域を照らす複数の出射面を有しており、本実施形態では、ライセンスプレートＰのうち上下方向の略中央よりも上側領域ＰUを照らす前側出射面３３１と、下側領域ＰLを照らす後側出射面３３２との２つの出射面に分割されている（図５参照）。これら前側出射面３３１及び後側出射面３３２は、後側出射面３３２の方がより多くの光量の光を出射させる（本実施形態では、出射光量比が２：８となる）ように、上下方向と直交する平面への投影面積が、後側出射面３３２の方が前側出射面３３１よりも大きく形成されている。つまり、前側出射面３３１及び後側出射面３３２は、ライセンスプレートＰの下側領域ＰLを照らす後側出射面３３２の方が多くの光量の光を出射させるように、所定の投影面積比で出光部３３を分割してなるとともに、各出射光がライセンスプレートＰの上側領域ＰU及び下側領域ＰLに適切に照射されるようそれぞれ所定の曲率で膨出する形状に形成されている。
【００２０】
なお、出光部３３は、３つ以上の複数の出射面に分割されていれてもよい。この場合、これら複数の出射面は、ライセンスプレートＰのうち上下方向に互いに異なる領域を照らすとともに、ライセンスプレートＰのうち相対的に下側の領域を照らすものの方が多くの光量の光を出射させるように形成されていればよい。このとき、複数の出射面が照らすライセンスプレートＰの複数の領域は、上下方向に互いに異なっていれば部分的に重複していてもよい。
【００２１】
以上の構成を具備するライセンスプレート照明装置１では、ＬＥＤ２が点灯すると、当該ＬＥＤ２から出射した光が導光レンズ３によってライセンスプレートＰの表示面に照射される。
具体的には、ＬＥＤ２から出射した光は、入光部３１を通じて光軸Ａｘに沿った平行光とされつつ導光レンズ３内に入射し、導光部３２の第一反射面３２１によって後方へ内部反射され、第二反射面３２２によって下方へさらに内部反射された後に、出光部３３から下方へ出射する。これにより、ＬＥＤ２から出射した光は、当該ＬＥＤ２よりも後方に位置する導光レンズ３の出光部３３からライセンスプレートＰに向けて出射される。
【００２２】
このとき、図５に示すように、出光部３３のうちの前側出射面３３１から出射した光がライセンスプレートＰの上側領域ＰUに照射され、後側出射面３３２から出射した光がライセンスプレートＰの下側領域ＰLに照射される。また、ライセンスプレートＰの下側領域ＰLを照らす後側出射面３３２の方が、上側領域ＰUを照らす前側出射面３３１よりも多くの光量の光を出射させる。そのため、ライセンスプレート照明装置１から相対的に遠いライセンスプレートＰの下側領域ＰLをより多くの光量の光で照らすことができ、単純に上方から照明する場合に比べ、より均一化された照度でライセンスプレートＰの表示面を照明することができる。
【００２３】
以上のように、本実施形態のライセンスプレート照明装置１によれば、ＬＥＤ２から出射した光が入光部３１から導光レンズ３内に入射し、ＬＥＤ２よりも後側に位置する当該導光レンズ３の出光部３３からライセンスプレートＰに向けて出射される。このとき、導光レンズ３の出光部３３では、複数の出射面（本実施形態では、前側出射面３３１と後側出射面３３２）がライセンスプレートＰのうち上下方向に互いに異なる領域（本実施形態では、上側領域ＰUと下側領域ＰL）を照らすとともに、ライセンスプレートＰのうち相対的に下側の領域を照らす出射面（本実施形態では、下側領域ＰLを照らす後側出射面３３２）の方が多くの光量の光を出射させる。
これにより、従来と異なり、ＬＥＤ２の位置をライセンスプレートＰの中央（プレートセンターＰC）よりも後側に配置する必要なく、当該ライセンスプレート照明装置１から相対的に遠いライセンスプレートＰの下側領域ＰLを上側領域ＰUよりも多くの光量の光で照らすことができる。したがって、ＬＥＤ２の位置を拘束することなく、ライセンスプレートＰにおける照度の均一化を図ることができる。
【００２４】
なお、本発明を適用可能な実施形態は、上述した実施形態に限定されることなく、本発明の趣旨を逸脱しない範囲で適宜変更可能である。
【符号の説明】
【００２５】
１          ライセンスプレート照明装置
２          ＬＥＤ（光源）
Ａｘ      光軸
３          導光レンズ
３１      入光部
３２      導光部
３２１  第一反射面
３２２  第二反射面
３３      出光部
３３１  前側出射面
３３２  後側出射面
Ｐ          ライセンスプレート
ＰC       プレートセンター
ＰU       上側領域
ＰL       下側領域
【図１】
2016002830.tif 000003
【図２】
2016002830.tif 000004
【図３】
2016002830.tif 000005
【図４】
2016002830.tif 000006
【図５】
2016002830.tif 000007